(57)【要約】      （修正有）【課題】犬猫等のペットが散歩中にした糞等に対して、手を汚さず、周囲に臭いを出さない清潔なペット用携帯トイレを提供する。【解決手段】第１の半円形部材１１，１１′は、頂部から下方に向けて半円形に折り曲げられ、半円形部分から下部に向けて固定軸となる部分が連設されている。第２の半円形部材１２，１２′は、前記第１の半円形部材における頂部に互いに可動自在に連結されている。また、前記第２の半円形部材は、前記第１の半円形部材より僅かに小さく、互いに半円形部分を開閉しても、衝突しない大きさになっている。把手部１３は、前記第１の半円形部材の固定軸および前記第２の半円形部材の回動軸を内部に収容できる軸孔が成形されている。回動部１４は、前記把手部に収納された前記回動軸の端部を固定するとともに、前記把手部に対して、回動自在に取り付けられている。【選択図】図１
0003157419.tif 000002
【実用新案登録請求の範囲】
【請求項１】
頂部から半円形に折り曲げられ、下部において、固定軸が連設されている第１の半円形部材と、
前記頂部に可動自在に連結されているとともに、前記第１の半円形部材より僅かに小さいまたは大きい、半円形に折り曲げられ、下部において回動軸となる第２の半円形部材と、
前記第１の半円形部材における固定軸の端部を取り付けるとともに、前記第２の半円形部材の回動軸を内部に収容した把手部と、
前記把手部の内部に収容された前記回動軸の端部を固定するとともに、前記把手部に対して回動自在に取り付けられている回動部と、
から少なくとも構成されていることを特徴とするペット用携帯トイレ。
【請求項２】
前記第１の半円形部材と第２の半円形部材に袋体が垂下できるように取り付けられていることを特徴とする請求項１に記載されたペット用携帯トイレ。
【請求項３】
前記第１の半円形部材と第２の半円形部材との間における根本部には、スペーサが設けられていることを特徴とする請求項１に記載されたペット用携帯トイレ。
【考案の詳細な説明】
【技術分野】
【０００１】
本考案は、犬猫等のペットが散歩中にした糞等に対して、手を汚さず、しかも周囲に臭いを出さない清潔なペット用携帯トイレに関するものである。また、本考案は、犬猫等のペットの糞が地上に落ちる前に、受け取ることができるペット用携帯トイレに関するものである。
【背景技術】
【０００２】
従来の糞取り器は、たとえば、特開２００２−２５３０８２号公報に記載されているように、剛性を有する部材からなる輪を頂部中央で分割できるようになっている。また、前記輪の下部は、アーム内を介して、把手部分に連設されている。前記輪は、把手部分の操作により、開閉できるようになっているため、糞を入れた後、輪に取り付けた袋を閉めることができる。
【０００３】
また、実開平６−７０５５３号公報、登録実用新案公報第３０５８７１７号公報のように糞を入れる袋を備えているものがある。
【先行技術文献】
【特許文献】
【０００４】
【特許文献１】特開２００２−２５３０８２号公報
【特許文献２】実開平６−７０５５３号公報
【特許文献３】登録実用新案公報第３０５８７１７号公報
【考案の概要】
【考案が解決しようとする課題】
【０００５】
前記特許文献１に記載された犬の万能糞取り器は、輪の部分を把手部により、開閉できるものであるが、前記開閉部を完全に塞ぐことができないため、糞の臭いが外部に漏れる恐れがあった。また、前記公報の犬の万能糞取り器は、アーム、フック、固定ひも、棒バネ、握り手等形状および操作が複雑であった。また、他の従来例に見られる糞取り器は、構造が複雑であり、高価になるという欠点があった。
【０００６】
以上のような課題を解決するために、本考案は、安価で使い勝手が良く、かつ、犬猫等のペットが散歩中にした糞等に対して、手を汚さず、しかも、周囲に臭いを出さない清潔なペット用携帯トイレを提供することを目的とする。また、本考案は、犬猫等のペットの糞が地上に落ちる前に、受け取ることができるペット用携帯トイレを提供することを目的とする。
【課題を解決するための手段】
【０００７】
（第１考案）
第１考案のペット用携帯トイレは、頂部から半円形に折り曲げられ、下部において、固定軸が連設されている第１の半円形部材と、前記頂部に可動自在に連結されているとともに、前記第１の半円形部材より僅かに小さいまたは大きい、半円形に折り曲げられ、下部において回動軸となる第２の半円形部材と、前記第１の半円形部材における固定軸の端部を取り付けるとともに、前記第２の半円形部材の回動軸を内部に収容した把手部と、前記把手部の内部に収容された前記回動軸の端部を固定するとともに、前記把手部に対して回動自在に取り付けられている回動部とから少なくとも構成されていることを特徴とする。
【０００８】
（第２考案）
第２考案のペット用携帯トイレは、第１の半円形部材と第２の半円形部材に袋体が垂下できるように取り付けられていることを特徴とする。
【０００９】
（第３考案）
第３考案のペット用携帯トイレは、第１の半円形部材と第２の半円形部材との間における根本部にスペーサが設けられていることを特徴とする。
【考案の効果】
【００１０】
本考案によれば、第１の半円形部材の固定軸は、把手部で固定され、第２の半円形部材の回動軸は、回動部の回動により回転するとともに、互いに捻じられた状態になるため、前記半円形部材に取り付けられたポリ塩化ビニル製袋（以下、単に「ビニール袋」と記載する）等の開口部が互いに交差するようになり、内部の糞の臭いが外部に漏れない。
【００１１】
本考案によれば、ペット用携帯トイレは、前記第１の半円形部材および第２の半円形部材が、前記回動部の回動により、前記ビニール袋の開口部における開閉を確実にできるような構造になっているため、手を汚すことなく、犬の糞を取ることができる。
【００１２】
本考案によれば、第１の半円形部材と第２の半円形部材の大きさを変えることにより、前記半円形部材が互いに行き過ぎるようにできるため、ビニール袋の開口部を容易に閉じることが可能である。
【００１３】
本考案によれば、部品点数が少なく、構造を簡単にすることができたため、安価なペット用携帯トイレを得ることができた。
【００１４】
本考案によれば、第１の半円形部材および第２の半円形部材に不透明な袋を取り付けることにより、外部から糞が見えないような状態にすることができ、散歩をしている他の通行人に対する環境を良くすることができる。
【００１５】
本考案によれば、第１の半円形部材および第２の半円形部材の重なる部分の近傍にスペーサを設けることにより、前記半円形部材を互いに回動させる際に、指を挟むという事故を無くすことができる。
【図面の簡単な説明】
【００１６】
【図１】本考案の第１実施例で、ペット用携帯トイレを説明するための斜視図である。（実施例１）
【図２】本考案の第１実施例において、半円形部材を開閉した状態を説明するための図である。
【図３】本考案の第１実施例における断面形状を説明するための図である。
【図４】本考案の第２実施例である半円形部材に予め袋が取り付けられている例を説明するための斜視図である。（実施例２）
【図５】本考案の第３実施例で、半円形部材の回動部に設けられたスペーサを説明するための図である。（実施例３）
【考案を実施するための形態】
【００１７】
（第１考案）
第１考案のペット用携帯トイレは、第１の半円形部材と、第２の半円形部材と、前記半円形部材の根本を取り付ける把手部と、前記半円形部材を開閉する回動部とから少なくとも構成されている。第１の半円形部材は、頂部から下方に向けて半円形に折り曲げられ、前記半円形部分から下部に向けて固定軸となる部分が連設されている。第２の半円形部材は、前記第１の半円形部材における頂部に互いに可動自在に連結されている。
【００１８】
また、前記第２の半円形部材は、前記第１の半円形部材より僅かに小さいか、または僅かに大きい半円形に折り曲げられており、互いに半円形部分を開閉しても、衝突しない大きさになっている。前記把手部は、前記第１の半円形部材の固定軸をおよび前記第２の半円形部材の回動軸を内部に収容できる軸孔が成形されている。前記第１の半円形部材の固定軸は、前記把手部の内部において、固定されている。前記第２の半円形部材の回動軸は、前記把手部の内部に収納されている。
【００１９】
前記回動部は、前記把手部に収納された前記回動軸の端部を固定するとともに、前記把手部に対して、回動自在に取り付けられている。前記第１の半円形部材および第２の半円形部材は、たとえば、ビニール袋の端部が巻き付けられるように、取り付けられる形状になっている。前記第１の半円形部材の固定軸は、前記把手部で固定され、前記第２の半円形部材の回動軸は、前記回動部の回動により回転するとともに、互いに捻じられた状態になる。
【００２０】
したがって、前記ペット用携帯トイレは、前記第１の半円形部材および第２の半円形部材が、前記回動部の回動により、前記ビニール袋の開口部を開閉できるような構造になっているため、手を汚すことなく、犬の糞を取ることができる。また、前記第１の半円形部材および第２の半円形部材は、ビニール袋の端部が互いに行き過ぎることにより、重ねられ、犬の糞から出る臭いが外部に漏れないような構造になっている。前記半円形部材は、半円形の代わりに、コ字型または台形どうしのものを組み合わせ、あるいは、その他、互いに行き過ぎるような形状のものにすることができる。
【００２１】
（第２考案）
第２考案のペット用携帯トイレは、前記第１の半円形部材と第２の半円形部材に予め不透明な袋体が垂下できるように取り付けられている。前記ペット用携帯トイレは、前記袋体にビニール袋を入れて使用する。前記ペット用携帯トイレは、前記袋体が外部から見えないような部材を使用することにより、犬の散歩中に、通行人に対して犬の糞を見せない。
【００２２】
（第３考案）
第３考案のペット用携帯トイレは、前記第１の半円形部材および第２の半円形部材を開閉する際に、これらの間に指を挟まないように、一方の半円形部材の根本部にスペーサが設けられている。前記スペーサは、前記第１の半円形部材と第２の半円形部材の間に強制的な空間ができるため、指を挟まないようにすることができる。
【実施例１】
【００２３】
図１は本考案の第１実施例で、ペット用携帯トイレを説明するための斜視図である。図２は本考案の第１実施例において、半円形部材を開閉した状態を説明するための図である。図３は本考案の第１実施例における断面形状を説明するための図である。図１から図３において、ペット用携帯トイレ１０は、第１の半円形部材１１と、第２の半円形部材１２と、前記半円形部材１１、１２の固定軸１１２および回動軸１２２を取り付ける軸孔１３１が成形されている把手部１３と、前記半円形部材１１、１２を開閉する回動部１４とから少なくとも構成されている。
【００２４】
第１の半円形部材１１は、頂部１６から下方に向けて半円形に折り曲げて形成されている。前記第１の半円形部材１１は、半円形部分から下部に向けて固定軸１１２となる部分が連設されている。第２の半円形部材１２および前記第１の半円形部材１１は、互いに折り返し部１１１、１２１、１１１′、１２１′が頂部１６において成形され、リング１６１、１６１′によって、互いに可動自在に連結されている。前記二点鎖線と符号に付けられた「′」は、開放状態を示し、実線は、閉じた状態を示している。
【００２５】
また、前記第２の半円形部材１２は、前記第１の半円形部材１１より僅かに小さいか、または僅かに大きい半円形に折り曲げられており、互いに半円形部分を開閉しても、衝突することがなく、互いに行き過ぎるような大きさになっている。図１および図２に示された符号「ｄ」は、前記互いに行き過ぎた際の幅が示されている。図３において、前記把手部１３は、前記第１の半円形部材１１の固定軸１１２および前記第２の半円形部材１２の回動軸１２２を内部に収容できるものである。前記第１の半円形部材１１の固定軸１１２は、前記把手部１３の内部において成形された把手係合凹部１３２に折り曲げられた係止部１１３が固定されている。前記第２の半円形部材１２の回動軸１２２は、前記把手部１３の内部に収納されている。
【００２６】
前記把手部１３には、ビニール袋固定用のカラー１７が必要に応じてスライド可能に設けられている（図３参照）。カラー１７は、把手部１３の中央部に設けられた凹部１３３で緩く、上部では把手部１３に嵌合するような構成となっている。したがって、前記第１および第２の半円形部材１１、１２に取り付けたビニール袋の端は、上部に移動させたカラー１７と把手部１３との間に挟み込むようにして固定することができる。
【００２７】
前記回動軸１２２は、前記把手部１３の一端に設けられた回動軸係止凹部１５２に、端部が折り曲げられた係止部１２３となって固定されている。前記把手部１３と回動部１４は、互いに回動自在に取り付けられている。前記第１の半円形部材１１および第２の半円形部材１２は、たとえば、ビニール袋の端部が取り付けられる形状になっている。前記第１の半円形部材１１の固定軸１１２は、前記把手部１３で固定され、前記第２の半円形部材１２の回動軸１２２は、前記回動部１５の回動により回転するとともに、互いに捻じられた状態になる。
【００２８】
回動部１４は、把手部１３の端部を収容する凹部１４１が設けられている。また、キャップ１５は、第１の半円形部材１１の係止部１１３および第２の半円形部材１２の係止部１２３が外部から見えないようにするためのもので、内部に凹部１５１が成形されている。
【００２９】
図２において、ペット用携帯トイレ１０は、第１の半円形部材１１および第２の半円形部材１２が点線で示されているように、開いた状態１１′および１２′から、実線の閉じた状態１１および１２によって示されている。特に、前記第１の半円形部材１１は、前記第２の半円形部材１２に接近した後、前記第１の半円形部材１１の内部を通過し、距離「ｄ」だけ行き過ぎた状態が示されている。
【００３０】
前記ペット用携帯トイレ１０は、前記第１の半円形部材１１および第２の半円形部材１２が、前記回動部１４の回動により、前記ビニール袋（図示されていない）の開口部を開閉できるような構造になっているため、手を汚すことなく、犬の糞を取ることができる。また、前記第１の半円形部材１１および第２の半円形部材１２は、ビニール袋の端部が互いに行き過ぎることにより、犬の糞から出る臭いが外部に漏れないような構造になっている。
【００３１】
図４は本考案の第２実施例である半円形部材に予め袋が取り付けられている例を説明するための斜視図である。図４において、ペット用携帯トイレは、前記第１の半円形部材と第２の半円形部材にビニール袋を取り付ける変わりに、予め不透明な布製袋体または合成樹脂製袋体４１が垂下できるように取り付けられている。前記ペット用携帯トイレは、前記袋体４１の内部に、ビニール袋（図示されていない）を入れて使用する。前記ペット用携帯トイレは、前記袋体４１により、前記ビニール袋の内部が見えないため、犬の散歩中に、通行人に対して犬の糞が見えない。
【００３２】
図５は本考案の第３実施例で、半円形部材の回動部に設けられたスペーサを説明するための図である。図５において、ペット用携帯トイレは、前記第２の半円形部材１２の下部にスペーサ５１が嵌められている。前記スペーサ５１は、前記第２の半円形部材１２を開閉する際に、指等を挟まないように間隔ｄを持たせるためのものである。
【００３３】
以上、本実施例を詳述したが、本考案は、前記本実施例に限定されるものではなく、実用新案登録請求の範囲に記載されている事項を逸脱することがなければ、種々の設計変更を行うことが可能である。本実施例に使用した半円形部材は、たとえば、可撓性金属部材、ビニール被覆金属線部材、合成樹脂製部材等、変形が容易で、適度の剛性を有する部材を使用することができ、形状についても、使用し易い形状に変えることができる。前記半円形部材の大きさは、ペットの大きさにより、任意に変えることができる。
【符号の説明】
【００３４】
１０・・・ペット用携帯トイレ
１１、１１′・・・第１の半円形部材
１１１、１１１′・・・折り曲げ部
１１２・・・固定軸
１１３・・・係止部
１２、１２′・・・第２の半円形部材
１２１、１２１′・・・折り曲げ部
１２２・・・回動軸
１２３・・・折り曲げ部
１３・・・把手部
１４・・・回動部
１４１・・・凹部
１５・・・キャップ部
１５１・・・把手係合凹部
１５２・・・回動軸係合凹部
１６、１６′・・・リング
４１・・・袋体
４１１・・・縫い代
５１・・・スペーサ
ｃ・・・クリアランス
ｄ・・・距離
【図１】
0003157419.tif 000003
【図２】
0003157419.tif 000004
【図３】
0003157419.tif 000005
【図４】
0003157419.tif 000006
【図５】
0003157419.tif 000007